(57)【要約】【課題】空気調和装置を停止状態とした場合でも、ドレンパン内に位置する熱交換器の腐食を抑制する。【解決手段】室内ユニット２に空気を導入して熱交換後の空気を室内に送風する送風ファン２２と、外部の給水源から供給された所定のイオン種を含む水を電気分解することにより、活性酸素種を含む電解水を生成する電解ユニット５と、送風ファン２２により室内ユニット２に導入される空気に、電解水を接触させて空気の除菌を行う空気除菌ユニット４と、室内熱交換器２１の凝縮水および除菌後の電解水を受けるドレンパン２４と、ドレンパン２４で受けた液体を機外に排出するドレンポンプ２７と、運転停止に先立って、ドレンパン２４に残留する液体におけるイオン種のイオン濃度を低下させるべく給水源からの水をドレンパン２４に供給する切換弁３０および給水管３０Ａと、を備える。【選択図】図１
2008051420.tif 000002
【特許請求の範囲】
【請求項１】
圧縮機、四方弁、室外熱交換器および室内熱交換器を順次接続してなる冷媒回路を備え、前記室内熱交換器を室内ユニットに備える空気調和装置において、
前記室内ユニットに空気を導入して熱交換後の空気を室内に送風する送風ファンと、
外部の給水源から供給された所定のイオン種を含む水を電気分解することにより、活性酸素種を含む電解水を生成する電解水供給部と、
前記送風ファンにより室内ユニットに導入される空気に、前記電解水を接触させて空気の除菌を行う空気除菌部と、
前記室内熱交換器および前記空気除菌部の下方に設けられ、冷房運転時における前記室内交換器の凝縮水および前記除菌後の電解水を受けるドレンパンと、
前記ドレンパンで受けた液体を機外に排出するドレンポンプと、
運転停止に先立って、前記ドレンパンに残留する液体における前記活性酸素種の濃度あるいは前記イオン種のイオン濃度を低下させるべく前記給水源からの水を前記ドレンパンに供給する洗浄水供給部と、
を備えたことを特徴とする空気調和装置。
【請求項２】
請求項１記載の空気調和装置において、
前記洗浄水供給部は、前記ドレンパンにおいて、前記ドレンポンプ側を最下流側として最上流側に前記給水源からの水を供給することを特徴とする空気調和装置。
【請求項３】
請求項２記載の空気調和装置において、
前記ドレンパンは、外径形状が略矩形状をなしており、
前記ドレンポンプの吸入口と、前記洗浄水供給部の給水口とは、前記ドレンパンの略対角線上に配置されていることを特徴とする空気調和装置。
【請求項４】
請求項１ないし請求項３のいずれかに記載の空気調和装置において、
前記イオン種はハロゲン化物イオンであることを特徴とする空気調和装置。
【請求項５】
請求項１ないし請求項４のいずれかに記載の空気調和装置において、
前記活性酸素種は、次亜塩素酸、オゾンまたは過酸化水素のうち少なくともいずれか一つの物質を含むことを特徴とする空気調和装置。
【請求項６】
圧縮機、四方弁、室外熱交換器および室内熱交換器を順次接続してなる冷媒回路を備え、前記室内熱交換器を室内ユニットに備えるとともに、冷房運転時における前記室内交換器の凝縮水および除菌後の電解水を受けるドレンパンおよび前記ドレンパンで受けた液体を機外に排出するドレンポンプを備えた空気調和装置の制御方法において、
前記室内ユニットに空気を導入して熱交換後の空気を室内に送風する送風過程と、
外部の給水源から供給された所定のイオン種を含む水を電気分解することにより、活性酸素種を含む前記電解水を生成する電解水供給過程と、
前記送風過程により前記室内ユニットに導入される空気に、前記電解水を接触させて空気の除菌を行う空気除菌過程と、
運転停止に先立って、前記ドレンパンに残留する液体における前記活性酸素種の濃度あるいは前記イオン種のイオン濃度を低下させるべく前記給水源からの水を前記ドレンパンに供給する洗浄水供給過程と、
を備えたことを特徴とする空気調和装置の制御方法。
【発明の詳細な説明】
【技術分野】
【０００１】
本発明は、空中浮遊微生物（細菌、ウィルス、真菌（以下、単に「ウィルス等」という。））の除去が可能な空気調和装置および空気調和装置の制御方法に関する。
【背景技術】
【０００２】
従来、水道水等を電気分解して次亜塩素酸などの活性酸素種を含む電解水を生成し、この電解水に空気を接触させることにより、空気中に含まれる有害物質を分解・除去等して、空気の浄化（除菌）を行う方法が知られている。また、除菌後の空気を空気調和装置に供給し、有害物質の分解・除去が行われた空気に対して冷暖房、除湿等を行い、室内に快適な空気を供給するようにすることも行われている（例えば、「特許文献１」参照。）。
【特許文献１】特開２００３−２５０８７６号公報
【発明の開示】
【発明が解決しようとする課題】
【０００３】
ところで、除菌後の電解水を熱交換器のドレンパンで受け、熱交換器で生成された凝縮水（ドレン）を排出するドレンポンプにより汲み上げて排出するように構成しようとした場合、空気調和装置の運転停止時、すなわち、ドレンポンプの停止時にドレンポンプからドレンパンへの戻り水に熱交換器の一部が浸ってしまう可能性がある。
この場合において、電解水の活性酸素種濃度あるいはイオン濃度（例えば、塩素イオン濃度）が高いと、熱交換器を構成している鋼管が腐食されてしまうおそれが生じる。
そこで、本発明の目的は、空気調和装置を停止状態とした場合でも、ドレンパン内に位置する熱交換器の腐食を抑制することが可能な空気調和装置および空気調和装置の制御方法を提供することにある。
【課題を解決するための手段】
【０００４】
上記課題を解決するため、圧縮機、四方弁、室外熱交換器および室内熱交換器を順次接続してなる冷媒回路を備え、前記室内熱交換器を室内ユニットに備える空気調和装置において、前記室内ユニットに空気を導入して熱交換後の空気を室内に送風する送風ファンと、外部の給水源から供給された所定のイオン種を含む水を電気分解することにより、活性酸素種を含む電解水を生成する電解水供給部と、前記送風ファンにより室内ユニットに導入される空気に、前記電解水を接触させて空気の除菌を行う空気除菌部と、前記室内熱交換器および前記空気除菌部の下方に設けられ、冷房運転時における前記室内交換器の凝縮水および前記除菌後の電解水を受けるドレンパンと、前記ドレンパンで受けた液体を機外に排出するドレンポンプと、運転停止に先立って、前記ドレンパンに残留する液体における前記活性酸素種の濃度あるいは前記イオン種のイオン濃度を低下させるべく前記給水源からの水を前記ドレンパンに供給する洗浄水供給部と、を備えたことを特徴としている。
【０００５】
上記構成によれば、電解水供給部は、外部の給水源から供給された所定のイオン種を含む水を電気分解することにより、活性酸素種を含む電解水を生成する。
空気除菌部は、送風ファンにより室内ユニットに導入される空気に、前記電解水を接触させて空気の除菌を行う。
このとき、ドレンパンは、冷房運転時における前記室内交換器の凝縮水および前記除菌後の電解水を受け、ドレンポンプによりドレンパンで受けた液体を機外に排出する。
そして、洗浄水供給部は、運転停止に先立って、ドレンパンに残留する液体における活性酸素種の濃度あるいはイオン種のイオン濃度を低下させるべく給水源からの水をドレンパンに供給する。
【０００６】
この場合において、前記洗浄水供給部は、前記ドレンパンにおいて、前記ドレンポンプ側を最下流側として最上流側に前記給水源からの水を供給するようにしてもよい。
また、前記ドレンパンは、外径形状が略矩形状をなしており、前記ドレンポンプの吸入口と、前記洗浄水供給部の給水口とは、前記ドレンパンの略対角線上に配置されているようにしてもよい。
さらに、前記イオン種はハロゲン化物イオンであるようにしてもよい。
さらにまた、前記活性酸素種は、次亜塩素酸、オゾンまたは過酸化水素のうち少なくともいずれか一つの物質を含むようにしてもよい。
【０００７】
また、圧縮機、四方弁、室外熱交換器および室内熱交換器を順次接続してなる冷媒回路を備え、前記室内熱交換器を室内ユニットに備えるとともに、冷房運転時における前記室内交換器の凝縮水および除菌後の電解水を受けるドレンパンおよび前記ドレンパンで受けた液体を機外に排出するドレンポンプを備えた空気調和装置の制御方法において、前記室内ユニットに空気を導入して熱交換後の空気を室内に送風する送風過程と、外部の給水源から供給された所定のイオン種を含む水を電気分解することにより、活性酸素種を含む前記電解水を生成する電解水供給過程と、前記送風過程により前記室内ユニットに導入される空気に、前記電解水を接触させて空気の除菌を行う空気除菌過程と、運転停止に先立って、前記ドレンパンに残留する液体における前記イオン種のイオン濃度を低下させるべく前記給水源からの水を前記ドレンパンに供給する洗浄水供給過程と、を備えたことを特徴としている。
【発明の効果】
【０００８】
本発明によれば、運転停止に先立って、ドレンパンに残留する除菌後の電解水中に含まれる活性酸素種濃度あるいはイオン濃度（特に塩素イオン濃度）低下させることができ、ドレンポンプからドレンパンへの戻り水に熱交換器の一部が浸ってしまっても熱交換器の腐食を抑制することができる。
【発明を実施するための最良の形態】
【０００９】
次に図面を参照して本発明の好適な実施の形態について説明する。
図１は、実施形態の空気調和装置としての空気調和システムの概略構成図である。
空気調和システム１００は、一台の室外ユニット１に複数台の室内ユニット２が接続されたいわゆるマルチ型の空気調和ユニット１００Ａを備えている。
室外ユニット１は、図１に示すように、冷媒配管１０に圧縮機１１が配設され、圧縮機１１にはその吸込側にアキュムレータ１２が接続され、その吐出側には四方弁１３と室外熱交換器１４と電動膨張弁１５とが順に接続されている。四方弁１３を切り換えることにより、冷房運転時には図中に示す破線矢印の方向に冷媒を流し、暖房運転時には実線矢印の方向に冷媒を流して、冷房運転と暖房運転との切り換えが行われる。
【００１０】
室内ユニット２は、室外ユニット１と冷媒配管１０を介して接続されている。
室内ユニット２の筐体２０内には、図１に示すように、室内熱交換器２１と、室内ユニット２に吸込口３３を介して空気を導入して、室内熱交換器２１による熱交換後の空気を吹出口３４を介して室内に送風する送風ファン２２と、この送風ファン２２により室内ユニット２に導入される空気に活性酸素種を含む電解水を接触させて空気の除菌を行う空気除菌ユニット４と、所定のイオン種を含む水を電気分解して、活性酸素種を含む電解水を生成して空気除菌ユニット４に供給する電解ユニット５とが設けられている。
さらに室内熱交換器２１および空気除菌ユニット４の下方には、冷房運転時に室内熱交換器２１により生成される凝縮水および空気除菌後の電解水を受けるドレンパン２４を備えている。
【００１１】
電解ユニット５は、配水管６を介して給水源に接続されている。
給水源は配水管６を介して電解ユニット５に水を供給できるものであればよい。より具体的には、配水管６を図示しない水道管に接続して、水道を給水源としてもよいし、配水管６を水を貯留する図示しない給水槽と接続して、当該給水槽を給水源としてもよい。ここで、給水槽に貯留される水は、水道水のように塩化物イオン等の除菌能力のある所定のイオン種が予め含有されている水であってもよいし、井戸水等のイオン種濃度の希薄な水に塩化物イオン等の除菌能力のある所定のイオン種を添加したものであってもよい。以下、配水管６を介して給水源から電解ユニット５に対して供給されるこれらの水を「電解対象水」という。
【００１２】
配水管６は、給水源と接続される共用配管６１と、共用配管６１から各室内ユニット２に分岐して水道水等を電解ユニット５に分配する分配管６２とを備えている。
また、共用配管６１には電磁弁６３が設けられている。
各室内ユニット２には、電解ユニット５と、分配管６２との間に、分配管６２側から見て直列に逆止弁２８、電動弁２９、切換弁３０がそれぞれ設けられている。
この場合において、電磁弁６３の開閉および電動弁２９の開度調整により電解ユニット５へ供給する電解対象水の量を調整しつつ、供給が行われる。
また、逆止弁２８は、電解対象水の逆流を防止しする。
また、切換弁３０は、電解対象水の供給先を電解ユニット５とドレンパン２４との間で切り換えることとなる。この切り換えは、後述するように運転停止指示がなされた場合に行われるものであり、ドレンパン２４内に高イオン濃度の電解水が滞留しないようにするものである。
【００１３】
次に、図２ないし図４を参照して、室内ユニット２のより具体的な構成について説明する。
図２は、室内ユニットの設置状態における断面図である。
図３は、室内ユニットを天井側からみた場合の平面図である。
図４は、室内ユニットの分解斜視図である。
図２および図３に示すように、本実施の形態の室内ユニット２はいわゆる天井埋込型の四方向吹き出し型の室内ユニット２であり、建屋の天井１０１に略四角形に形成された天井孔１０２に筐体２０が埋め込まれている。
筐体２０は、図３および図４に示すように、下面（但し、図４において上方）が開口した略四角形の箱形に形成されている。筐体２０の四隅には吊り金具１０３が設けられ、天井裏から吊り下げられる吊りボルト１０４に止着され、筐体２０が天井空間に吊り下げられる。
【００１４】
筐体２０の下面には平面視において略正方形に形成された化粧パネル３２が設けられ、この化粧パネル３２により天井孔１０２が覆われる。化粧パネル３２には室内の空気を筐体２０内に吸い込むための吸込口３３が平面視において略中央に形成されている。この吸込口３３の内側、すなわち天井１０１裏側にはフィルタ３５が装着される。また、化粧パネル３２の四辺にはそれぞれ辺に沿って長尺に形成された吹出口３４が形成されており、室内に対してこの四つの吹出口３４から四方向に空気が吹き出される。
また、筐体２０の側面に設けられた開口２０ｃには、図４に示すように、電解ユニット５、後述する逆止弁２８、電動弁２９、切換弁３０および制御基板３１が設置パネルＰに配置され、全体がカバーＣにより覆われた状態で配置されている。
【００１５】
次に、筐体２０の内部構成について説明する。
筐体２０の側板２０ａの内面には発泡スチロール製の断熱体２３が設けられている。また、筐体２０の天板の内側２０ｂにはモータ２２ａが固定され、このモータ２２ａのシャフトには羽根車２２ｂが取り付けられており、これらが送風ファン２２を構成している。この送風ファン２２を取り囲むように、筐体２０の側板２０ａに沿って略四角形状に曲げられた室内熱交換器２１が上記発泡スチロール製の断熱体２３の内側に配置されている（図３参照）。この室内熱交換器２１には送風ファン２２により吸込口３３から吸い込まれた空気が供給され、室内熱交換器２１により熱交換された空気が各吹出口３４から吹き出されるように構成されている。
【００１６】
また、図２ないし図４に示すように、室内熱交換器２１の下方には、発泡スチロール製のドレンパン２４が配置されている。このドレンパン２４は、外周面が筐体２０の内面に略設した状態で筐体２０内に配置される。また、このドレンパン２４には、化粧パネル３２の吸込口３３および吹出口３４に対応する位置に吸込開口２５及び吹出開口２６が設けられている。吸込開口２５は、図４に示すように、略矩形に形成されたドレンパン２４の中央に平面視略円形に形成されている。また、吹出開口２６はドレンパン２４の４辺に沿ってそれぞれ形成されている。
【００１７】
また、このドレンパン２４には、室内熱交換器２１の一隅に相当する位置にドレンポンプ２７が配設され、ドレンパン２４に貯留したドレン水は吸入管２７Ａ（図１参照）の吸入口を介してドレンポンプ２７（図３参照）により汲み上げられて、室内ユニット２の外部に排出される。
さらに、このドレンパン２４には、切換弁３０に接続された給水管３０Ａの給水口が対向するように配置され、このとき、給水管３０Ａは、ドレンポンプ２７側を最下流側として最上流側に給水源からの水を供給するようにすべく、ドレンポンプの吸入管２７Ａの吸入口と、給水管３０Ａの給水口とは、ドレンパン２４の略対角線上に配置されている。
【００１８】
一方、四角形状に折り曲げられた室内熱交換器２１の一辺には、その外側に空気除菌ユニット４が配置される。本実施の形態では、室内熱交換器２１の端部に該当する辺と断熱体２３との間に空気除菌ユニット４が配置されている。これにより、化粧パネル３２に形成された一の吹出口３４からは、空気除菌ユニット４において除菌された空気が吹き出される。
【００１９】
図５は、空気除菌ユニットの外観斜視図である。
空気除菌ユニット４は、図５に示すように、保水性の高い気液接触部材と、この気液接触部材４１の上部に配置される分散皿４２と、気液接触部材４１の下方に配置される水受け皿４３とを備える。気液接触部材４１は、例えばアクリル繊維やポリエステル繊維等で作製された不織布で構成することができる。また、気液接触部材４１の素材として、電解水に対する反応性の少ない素材が好ましく、他にポリオレフィン系樹脂（ポリエチレン樹脂、ポリプロピレン樹脂等）、塩化ビニル樹脂、フッ素系樹脂（ＰＴＦＥ、ＰＦＡ、ＥＴＦＥ等）、セルロース系材料またはセラミックス系材料等を用いることができる。
【００２０】
本実施の形態では、気液接触部材４１に対して親水処理を施すことなどにより、電解水に対する親和性を高めている。これにより、気液接触部材４１の電解水の保水性（湿潤性）が保たれ、電解水と導入された空気との接触が長時間持続される。
分散皿４２は、その側面に電解水供給配管５１が接続される接続口４２ａが形成されるとともに、当該電解水供給配管５１を通じて供給された電解水を滴下して、気液接触部材４１に分散させるための孔（不図示）が、上記分散皿４２の底面に多数形成されている。
また、水受け皿４３は、気液接触部材４１を下方から保持するとともに、当該気液接触部材４１を通過した電解水を貯留可能とする。この水受け皿４３の底面には、電解水をドレンパン２４（図２および図４参照）に導くドレン管４４が接続されている。
【００２１】
図６は、電解ユニットの構成説明図である。
電解水を気液接触部材４１に供給する電解ユニット５は、図６に示すように、電解槽５２と、少なくとも一対の電極５３ａ、５３ｂとを備え、電極５３ａ、５３ｂは、通電された場合、電解槽５２に配水管６を介して供給された所定のイオン種が添加された水道水等を電気分解して活性酸素種を含む電解水を生成させる。
【００２２】
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。電解槽５２は気液接触部材４１に接近して配置され、電解水供給配管５１を介して活性酸素種を含む電解水をただちに気液接触部材４１に供給できるように構成される。
【００２３】
電極５３ａ、５３ｂは、例えばベースがＴｉ（チタン）で皮膜層がＩｒ（イリジウム）、Ｐｔ（白金）から構成された２枚の電極板を用いることができる。
上記電極５３ａ、５３ｂにより水道水等に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、水道水等に元々含有される塩化物イオンまたはイオン種添加ユニット７により添加された塩化物イオン等が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００２４】
この構成では、電極５３ａ、５３ｂに通電することにより、殺菌力の大きい次亜塩素酸（ＨＣｌＯ）等が発生し、この次亜塩素酸等の活性酸素種を含んだ電解水が供給された気液接触部材４１に空気を通過させることにより、当該気液接触部材４１を通過する空気中に浮遊するウィルス等を不活化させて、空気を除菌することができるとともに、この気液接触部材４１で雑菌が繁殖することを防止することができる。また、臭気等のガス状物質も気液接触部材４１を通過する際に、電解水に溶解したり、電解水中の次亜塩素酸等の活性酸素種と反応したりして、空気中から除去され、脱臭することができる。
この電極５３ａ、５３ｂに所定の電流密度の電流（例えば、２０ｍＡ／ｃｍ2等）を通電すると、所定量の水道水等を電気分解して、所定の濃度の活性酸素種（例えば、遊離残留塩素濃度１ｍｇ／ｌ等）を含む電解水を生成することができる。
【００２５】
次に、本実施の形態の空気調和装置の動作を説明する。
ユーザによって、室内リモコン（不図示）等から運転開始指示が入力されると、制御装置７４は運転開始指示により指示された運転モードに応じて、室外ユニット１の四方弁１３を冷房側又は暖房側に切り換えて冷房運転又は暖房運転等の所定の空調運転を行う。
ここで、冷房運転を行う場合には、制御装置７４は四方弁１３を冷房側に切り換えることにより、図１に示す破線矢印の様に、冷媒回路１００Ｂ中に冷媒を流して、室外熱交換器１４を凝縮器として機能させ、室内熱交換器２１を蒸発器として機能させる。そして送風ファン２２を動作させて、室内ユニット２において吸込口３３から室内の空気を吸い込ませて室内熱交換器２１により熱交換を行い、冷却した空気を空気除菌ユニット４に供給させる。
【００２６】
一方、暖房運転を行う場合には、制御装置７４は四方弁１３を暖房側に切り換えることにより、図１に示す実線矢印の様に、冷媒回路１００Ｂ中に冷媒を流して、室外熱交換器１４を蒸発器として機能させ、室内熱交換器２１を凝縮器として機能させる。そして、送風ファン２２を動作させて、室内ユニット２において吸込口３３から室内の空気を吸い込ませて室内熱交換器２１により熱交換を行い、加温した空気を空気除菌ユニット４に供給させる。
【００２７】
上記のように、空調運転を行うと同時に、電解ユニット５において所定量のイオン種が添加された水道水等を電気分解させて、次亜塩素酸等の所定の活性酸素種を含む電解水を生成させる。生成された電解水は空気除菌ユニット４に供給される。空気除菌ユニット４において、気液接触部材４１に供給された空気は活性酸素種を含む電解水に接触して、除菌される。
【００２８】
以上、説明した本実施の形態によれば、送風ファン２２により室内ユニット２に導入された空気は室内熱交換器２１により熱交換されて室内に送風される。また、この送風ファン２２により室内ユニット２に導入される空気は、空気除菌ユニット４により、活性酸素種を含む電解水が接触されて除菌される。空気除菌ユニット４には、電解ユニット５により生成された活性酸素種を含む電解水が供給される。この電解ユニット５は配水管６を介して、例えば、水道管、給水タンク等の給水源と接続され、給水源から水道水等や井戸水などの水が供給される。そして、給水源から供給される水にイオン種を添加するイオン種供給手段が配水管６に設けられるので、電解ユニット５には給水源から供給される水のイオン種濃度によらず、イオン種を含む水が供給され、効率よく電解水を生成して空気を除菌することができる。
【００２９】
例えば、室内の空気にインフルエンザウィルスが侵入した場合、その感染に必須の当該ウィルスの表面タンパク（スパイク）を活性酸素種が破壊、消失（除去）する機能を持ち、これを破壊すると、インフルエンザウィルスと、当該ウィルスが感染するのに必要な受容体（レセプタ）とが結合しなくなり、これによって感染が阻止される。衛生環境研究所との共同による実証試験の結果、インフルエンザウィルスが侵入した空気を本構成の気液接触部材４１に通した場合、当該ウィルスの感染力を９９％以上除去できることが判明した。
【００３０】
次に運転停止時の動作について説明する。
図７は、運転停止時処理の処理フローチャートである。
まず、制御基板３１上の図示しないコントローラは、図示しない室内ユニット２のコントローラと共働して、運転停止指示がなされたか否かを判別する（ステップＳ１）。
ステップＳ１の判別において、制御基板３１上の図示しないコントローラは、運転停止指示がなされていない場合には（ステップＳ１；Ｎｏ）、処理を終了する。
ステップＳ１の判別において、運転停止指示がなされた場合には（ステップＳ１；Ｙｅｓ）、制御基板３１上の図示しないコントローラは、切換弁３０をドレンパン２４側、すなわち、給水管３０Ａ側に切り換える（ステップＳ２）。
【００３１】
これにより、分配管６２から、逆止弁２８、電動弁２９を介して供給された水を電解ユニット５を介さずに直接ドレンパン２４に供給することとなる。
この場合に、上述したように、給水管３０Ａは、ドレンポンプ２７側を最下流側として最上流側に給水源からの水を供給するようにすべく、ドレンポンプの吸入管２７Ａの吸入口と、給水管３０Ａの給水口とは、ドレンパン２４の略対角線上に配置されているので、ドレンパン２４内の除菌後の電解水を洗い流しつつ、さらに電解水の活性酸素種濃度あるいは各種イオン濃度を薄めるように作用する。
この状態で、制御基板３１上の図示しないコントローラは、ドレンポンプ２７を駆動する（ステップＳ４）。
この結果、ドレンポンプ２７の吸入管２７Ａの吸入口からは、低濃度の活性酸素種あるいはイオンを含む除菌後の電解水が吸入され、外部に排出されることとなる。
【００３２】
続いて制御基板３１上の図示しないコントローラは、ドレンポンプ２７を駆動してから所定の時間が経過したか否か、すなわち、ドレンパン２４内の除菌後の電解水が十分に排出され、かつ、ドレンポンプ２７内には、高濃度の活性酸素種あるいはイオンを含む除菌後の電解水は存在せず、低濃度の活性酸素種あるいはイオンを含む除菌後の電解水に入れ替わった状態となるに十分な時間が経過したか否かを判別する（ステップＳ５）。
ステップＳ５の判別において、ドレンポンプ２７を駆動してから所定の時間が経過していない場合には（ステップＳ５；Ｎｏ）、制御基板３１上の図示しないコントローラは、待機状態となる。
【００３３】
ステップＳ５の判別において、ドレンポンプ２７を駆動してから所定の時間が経過した場合には（ステップＳ；Ｙｅｓ）、制御基板３１上の図示しないコントローラは、ドレンポンプ２７を停止し（ステップＳ６）、洗浄が完了した旨を室内ユニット２の図示しないコントローラに通知し、この結果、室内ユニット２は、運転停止状態となる（ステップＳ７）。
以上の説明のように、本実施形態によれば、空気調和システム１００を構成する室内ユニット２の運転停止に先立って、ドレンパンに残留する除菌後の電解水中に含まれるイオン濃度（特に塩素イオン濃度）低下させることができ、ドレンポンプからドレンパンへの戻り水に室内熱交換器２１の一部が浸ってしまっても室内熱交換器２１の腐食を抑制することができる。
【００３４】
また、本実施の形態の空気調和システム１００の様に、送風ファン２２により吸込口３３から吹出口３４に向かって送風経路を形成し、この送風経路において空気除菌ユニット４を室内熱交換器２１に対して下流側に配置することにより次の様な効果が得られる。すなわち、本実施形態の空気調和システム１００を冷房運転させる際には、室内熱交換器２１により冷却され、相対湿度が高くなった空気が空気除菌ユニット４に供給され、暖房運転時には、室内熱交換器２１により加温され、相対湿度が低くなった空気が空気除菌ユニット４に供給される。したがって、空気除菌ユニット４において供給された空気に電解水を接触させても、冷房運転時は既に相対湿度の高い空気が供給されているため、空気除菌後の空気の相対湿度の増加を抑えることができ、暖房運転時には相対湿度の低い空気が供給されているため、空気除菌ユニット４において電解水に接触させることにより、空気除菌後の空気の相対湿度を増加させることができる。したがって、湿式にて空気の除菌・浄化を行うとともに、四方弁１３を切り換えて運転を冷房運転と暖房運転とを切り換えるだけで、空調の負荷を増大させることなく、空気調和時の加湿量を自動的に制御することができ、室内の空気環境を快適に保つことができる。
【００３５】
また、冷房運転時においては、空気除菌ユニット４において熱交換後の空気を除菌して、室内に清浄な空気を供給できるとともに、空気除菌ユニット４に供給される空気の相対湿度は高いため電解水の消費を抑えることもできる。
以上の説明では、切換弁３０から給水管３０Ａを介してドレンパン２４の１カ所に水を供給する構成としていたが、複数箇所に供給する構成としても良い。
また、以上の説明では、空気除菌ユニット４を１つ設ける場合のものであったが、吹出口３４に対応させて複数設けるように構成することも可能である。
また、以上の説明では、いわゆる天井埋込型の四方向吹き出し型の室内ユニット２を例に挙げて説明したが、本発明に係る室内ユニットはこれに限定されるものではなく、天井吊り下げ型のものであってもよいし、壁掛け型のものであってもよいし、床置き型のものであってもよい。
また、空気除菌ユニット４の気液接触部材４１を室内熱交換器２１に対して略平行に配置してもよいし、傾斜させて配置してもよい。
【００３６】
また、上記実施形態では、活性酸素種として次亜塩素酸を発生させる構成について説明したが、活性酸素種としてオゾン（Ｏ3）や過酸化水素（Ｈ2Ｏ2）を発生させる構成としても良い。この場合、電極５３ａ、５３ｂとして白金タンタル電極を用いると、イオン種が希薄な水からでも、電気分解により高効率に安定して活性酸素種を生成できるため、イオン種添加ユニット７において添加するイオン種の量を低減することができる。
このとき、アノード電極では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。またカソード電極では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極５３ａ、５３ｂ反応によりＯ2-が生成したＯ2-と溶液中のＨ+とが結合して、過酸化水素（Ｈ2Ｏ2）が生成される。
【００３７】
この構成では、電極５３ａ、５３ｂに通電することにより、殺菌力の大きいオゾン（Ｏ3）や過酸化水素（Ｈ2Ｏ2）が発生し、これらオゾン（Ｏ3）や過酸化水素（Ｈ2Ｏ2）を含んだ電解水を作ることができる。そして、この電解水中におけるオゾンもしくは過酸化水素の濃度を、対象ウィルス等を不活化させる濃度に調整し、この濃度の電解水が供給された気液接触部材４１に空気を通過させることにより、空気中に浮遊する対象ウィルス等を不活化することができる。また、臭気等のガス状物質も気液接触部材４１を通過する際に、電解水に溶解したり、電解水中のオゾンまたは過酸化水素と反応したりすることにより、空気中から除去されるため、脱臭することができる。
【００３８】
また、水道水等を電気分解することにより、電極５３ａ、５３ｂ上（カソード）にスケールが堆積した場合、電気伝導性が低下したり、電解面への水の流れが妨げられたりして、継続的な電気分解が困難となる。この場合、電極５３ａ、５３ｂの極性を反転（電極５３ａ、５３ｂのプラスとマイナスを切り換える）させることが効果的である。カソード電極をアノード電極として電気分解することで、カソード電極上に堆積したスケールを取り除くことができる。この極性反転制御では、例えばタイマを利用して定期的に反転させてもよいし、運転起動の度に反転させる等、不定期的に反転させてもよい。また、電解抵抗の上昇（電解電流の低下、あるいは電解電圧の上昇）を検出し、この結果に基づいて、極性を反転させてもよい。
【図面の簡単な説明】
【００３９】
【図１】本実施の形態における空気調和装置および空気調和システムの概略構成を示す図である。
【図２】室内ユニットの設置状態における断面図である。
【図３】室内ユニットを天井側からみた場合の平面図である。
【図４】室内ユニットの分解斜視図である。
【図５】空気除菌ユニットの外観斜視図である。
【図６】電解ユニットの構成説明図である。
【図７】運転停止時処理の処理フローチャートである。
【符号の説明】
【００４０】
１…室外ユニット、２…室内ユニット、４…空気除菌ユニット、５…電解ユニット（電解水供給部）、６…配水管、７…イオン種添加ユニット、１０…冷媒配管、１１…圧縮機、１２…アキュムレータ、１３…四方弁、１４…室外熱交換器、１５…電動膨張弁、２０…筐体、２０ａ…側板、２０ｂ…内側、２０ｃ…開口、２１…室内熱交換器、２２…送風ファン、２２ａ…モータ、２２ｂ…羽根車、２３…断熱体、２４…ドレンパン、２５…吸込開口、２６…吹出開口、２７…ドレンポンプ、２７Ａ…吸入管、２８…逆止弁、２９…電動弁、３０…切換弁（洗浄水供給部）、３０Ａ…給水管（洗浄水供給部）、３１…制御基板、３２…化粧パネル、３３…吸込口、３４…吹出口、３５…フィルタ、４１…気液接触部材、４２…分散皿、４２ａ…接続口、４３…皿、４４…ドレン管、５１…電解水供給配管、５２…電解槽、５３ａ…電極、６１…共用配管、６２…分配管、６３…電磁弁、７４…制御装置、１００…空気調和システム、１００Ａ…空気調和ユニット、１００Ｂ…冷媒回路、１０１…天井、１０２…天井孔、１０３…金具、１０４…ボルト、Ｃ…カバー、Ｐ…設置パネル。
【図１】
2008051420.tif 000003
【図２】
2008051420.tif 000004
【図３】
2008051420.tif 000005
【図４】
2008051420.tif 000006
【図５】
2008051420.tif 000007
【図６】
2008051420.tif 000008
【図７】
2008051420.tif 000009